(57)【要約】【課題】画像読取ユニット１のハウジングのレンズ受け部で光束の中央部を遮光することによりシューディング補正機能を持たせて光束規制と正規光以外の外乱防止を図りつつユニット内部のスペースを効率良く使う画像読取装置を提供すること。【解決手段】画像データに対応する光束を複数の反射ミラー５、６、７で変向した後、結像光学系８を介してＣＣＤその他の光電変換部１０に導くように構成した画像読取装置において、スリット状光束中央部を挟小化させて配光規制させる規制手段１３を有し、該規制手段が、前記結像光学系を支持する光学系支持部９背部の曲率膨出部９０をスリット状光束の光路外より光軸側に膨出させて位置させ、スリット状光束のスリット中央部を挟小化させて配光規制させ、更に必要に応じて最下流の反射ミラー７の反射面側に前記規制手段２６を設けて配光規制させる。【選択図】      図１
2004272022.tif 000002
【特許請求の範囲】
【請求項１】
画像データに対応するスリット状光束を複数の反射ミラーで変向した後、結像光学系を介してＣＣＤその他の光電変換部に導くように構成した画像読取装置において、
スリット状光束中央部を挟小化させて配光規制させる規制手段を有し、該規制手段が、前記結像光学系を支持する光学系支持部背部の曲率膨出部であって、該膨出部をスリット状光束の光路外より光路中心ライン側に膨出させて位置させたことを特徴とする画像読取装置。
【請求項２】
前記結像光学系の入射光軸上に位置している最下流の反射ミラーを備え、該最下流の反射ミラーへの入射光束の光路途中に前記光学系支持部の背面側側端が位置するように前記光学系支持部を配置したことを特徴とする請求項１記載の画像読取装置。
【請求項３】
前記光学系からの前記光電変換部までを１のユニット体のハウジング内に収納するとともに、前記光学系支持部を該ハウジングの一部を膨出して構成したことを特徴とする画像読取装置。
【請求項４】
画像データに対応する光束を複数の反射ミラーで変向した後、結像光学系を介してＣＣＤその他の光電変換部に導くように構成した画像読取装置において、
前記結像光学系の入射光軸上に位置している最下流の反射ミラーの上流側に位置している２枚の反射ミラーを、前記結像光学系の入射光軸を挟んで角度差をつけて対向配置させて、これらの反射ミラー間で複数回、光を反射させて前記最下流の反射ミラーに導くように配置するとともに、前記最下流の反射ミラーの反射面側にスリット状光束のスリット中央部を挟小化させて配光規制させる規制手段を設けて配光規制させることを特徴とする画像読取装置。
【請求項５】
前記規制手段は最下流の反射ミラーに直接マスクされるかその前面に配置してなる遮光部であることを特徴とする請求項４記載の画像読取装置。
【請求項６】
前記遮光部が、最下流の反射ミラーを位置決め支持するガイド部材の一部であることを特徴とする請求項５記載の画像読取装置。
【請求項７】
画像データに対応する光束を複数の反射ミラーで変向した後、結像光学系を介してＣＣＤその他の光電変換部に導くように構成した画像読取装置において、
スリット状光束中央部を挟小化させて配光規制させる規制手段を有し、該規制手段が前記結像光学系の入射光軸上に位置している最下流の反射ミラーを位置決め支持するガイド部材の一部であることを特徴とする画像読取装置。
【請求項８】
前記ガイド部材が該反射ミラーを長手方向に位置規制して摺動するミラー移動ガイド部材であることを特徴とする請求項６若しくは７記載の画像読取装置。
【請求項９】
前記光学系からの光電変換部までを１のユニット体のハウジング内に収納するとともに、前記ガイド部材を該ハウジングの一部を膨出して構成したことを特徴とする請求項１記載の画像読取装置。
【発明の詳細な説明】
【０００１】
【発明の属する技術分野】
本発明は、ファクシミリ装置、デジタル複写機、スキャナ等に用いられる原稿の画像データの読取を行うことができる画像読取装置に係り、特に複数の反射ミラーで変向した光像を縮小光学系を介してイメージセンサ（ＣＣＤ）に導く画像読取装置に関する。
【０００２】
【従来の技術】
近年、デジタル複写機を始めとして、ファクシミリ装置や電子ファイリング装置等の画像入力手段として光源より原稿を反射して得た画像データ（光像）を複数の反射ミラーで変向した後、結像光学系を介してイメージセンサ（ＣＣＤ）に導くことのできる画像読取装置が主流になってきている。
【０００３】
このような画像読取装置では、光源のもつ配光分布により原稿面の照度分布は光束の長手方向に一様ではなく、更に結像光学系により構成される画像読取装置では光学系におけるｃｏｓ４乗則等の影響が加わり、白色原稿のような一様濃度原稿の反射像をイメージセンサ上に結像させた場合でも、イメージセンサ上の照度分布は一様にならない。一般に照度は何も対策を施さなければ光軸上が最も明るく周辺部になるほど暗くなるような分布を示す。
【０００４】
上記のイメージセンサ上の照度分布を一様化するため、遮光板を用いた光学的シェーディング補正が一般に行われている。
例えば特許文献１（特開平６−８２９３１号公報）には、レンズのｃｏｓ４乗則の影響を排除するため、ランプの配光特性等による両端部の光量の低下を補正する為に、レンズ前に光束の中央部を遮光する規制部材を使用している。
しかしながら光学系一体型の画像読取ユニットにおいては複数の反射ミラーで複数回、入射光を反射させる為、その光路とユニットのハウジング及びユニットに取り付けられている部材とが干渉しない様設計する必要がある。このため干渉を防ぐ余裕空間を設けねばならず、ユニット全体が大きくなるという弊害がある。
【０００５】
又複数の反射ミラーを有する一体型走査光学系の画像読取ユニットの場合、ミラーの配置により原稿からの反射光を様々な構成でレンズに入射させることが出来るが、構成によっては正規以外の光がレンズに入射する場合もあり得る。
特に部品点数の削減と省スペース化を図るために、２枚の反射ミラーを若干の角度差をつけて対向させて、これらの間で複数回、光を反射させて、結像レンズに入射させる最下流の反射ミラー（３枚目の反射ミラー）へ導く場合、正規以外の角度で入ってきた光も、正規以外の回数で２枚の反射ミラー間を反射し、３枚目の反射ミラーを通してレンズに入射する可能性がある。
【０００６】
さて、２枚の反射ミラーを若干の角度差をつけて対向させて、これらの間で複数回、光を反射させて、３枚目の反射ミラーへ導くものではないが、特許文献２（特開平１０−１３６３６号公報）において、結像レンズの入射光軸上に位置し、該結像レンズに光束を入射させる最下流の反射ミラー（第３の反射ミラー）を配置した構造において、第２の反射ミラーを第３の反射ミラーの反対側のＣＣＤ及び縮小光学系側に近づけて第２の反射ミラーと第３の反射ミラーとの距離を稼ぐとともに、ユニット全体を偏平化して、小型化を図った技術がある。
そしてこの種の技術においては、第２の反射ミラーと第３の反射ミラーの光路上で正規光以外の外乱が、第３の反射ミラーに入射するのを防止する遮蔽壁をユニットハウジング底面より立設させて設けている。
【０００７】
しかしながらかかる技術においても遮蔽壁をユニットハウジング底面より立設させることは、その分ユニット内空間の大型化につながり易い。
【０００８】
又、特許文献３（特開２０００−５００３１公報）では、ユニットを上部空間と下部空間に分け、下部空間に、結像レンズの入射光軸上に結像レンズに光束を入射させる最下流の反射ミラーを配置するとともに、上部空間側に光源より最下流の反射ミラーに導くための複数の上流側反射ミラー系を配置し、前記ユニット上部空間と下部空間の光路の途中にシューディング補正機能を有した光束規制スリットを設けている。
【０００９】
しかしながらかかる従来技術は、複数の光学系を上部空間と下部空間に分割してその分割ライン上に光束規制スリットを配置する構造のために、ユニット空間が大型化する。
【００１０】
【特許文献１】
特開平６−８２９３１号公報
【特許文献２】
特開平１０−１３６３６号公報
【特許文献３】
特開２０００−５００３１公報
【００１１】
【発明が解決しようとする課題】
本発明は、かかる従来技術の課題に鑑み、ユニット小型化と部品点数の削減を図りつつシューディング補正機能を持たせて光束規制と正規光以外の外乱防止を図った画像読取装置を提供することを目的とする。
本発明の他の目的は、ユニットハウジングのレンズ受け部で光束の中央部を遮光することによりシューディング補正機能を持たせて光束規制と正規光以外の外乱防止を図りつつユニット内部のスペースを効率良く使う画像読取装置を提供することにある。
本発明の他の目的は、ユニット小型化と偏平化を達成しつつ最下流の反射ミラーの反射面にシューディング補正機能を持たせた光束規制を行い、受光量の安定化を図った画像読取装置を提供することにある。
【００１２】
【課題を解決するための手段】
本発明を順を追って説明する。
前記のようにイメージセンサ上の照度分布を一様化するため、図４に示すように、ライン状光束のライン方向に沿って延在する略長方形状の開口の両短手辺を外側に向けて僅かに湾曲させて拡形し、一方長手辺は光軸と直交する中央部分を内側に向けて膨らみを持たせるように曲率を持たせて挟小化した開口１０１を有する配光規制板１００により、結像レンズ８への入光手前で光学的シェーディング補正を行う技術は存在する。
そしてこのような配光規制板１００は、前記いずれの従来例でも、複数の反射ミラーで複数回、入射光を反射させる為、その光路とユニットのハウジング及びユニットに取付けられている部材とが干渉を防ぐ余裕空間を設けねばならず、ユニット全体が大きくなるという弊害があった。
【００１３】
そこで本第１発明は、前記結像光学系を支持する光学系支持部背部の曲率膨出部をスリット状光束の光路外より光路中心ライン側に膨出させて位置させてスリット状光束の中央部を挟小化させて配光規制させ、光学的シェーディング補正を行うことを特徴とする。
【００１４】
かかる発明によれば特別な配光規制板取り付け空間を設けずに、光学系支持部の一部を利用して配光規制が可能となり小型化と省スペース化が達成される。
又最下流の反射ミラー（第３の反射ミラー）は、結像光学系の入射光軸上に位置しているために、図１を用いて後述するように、該結像光学系の支持部は、最下流の反射ミラー（第３の反射ミラー）の入射光束と出射光束の間に位置することとなる。従って最下流の反射ミラー（第３の反射ミラー）の入射光束の光路途中に前記光学系支持部の背面側の側端が位置するように配置すれば簡単な構造で配光規制が可能になるとともに、その配光規制が上流側の反射ミラーではなく、最下流側の反射ミラーへの入射光束の配光規制であるために、光束の光学的シェーディング補正が確実化し、光学系の受光安定化につながる。
従って本発明によれば、光路に干渉しない程のスペースをとった上で、レンズ前で光量補正を行う従来技術と比べ、ユニット内部のスペースを効率良く活用出来る為、ユニットの小型化、ひいてはコストダウンにつながる。
又本発明は、前記光学系からの光電変換部までを１のユニット体のハウジング内に収納するとともに、前記光学系支持部を、該ハウジングの一部を膨出して構成することも有効であり、部品点数の削減につながる。
【００１５】
さて前記特許文献２に示す従来技術のように、夫々の光束変向位置で１枚ずつ反射ミラーを配設することは、それだけ部品点数の増加と各ミラーの支持部品と支持精度を必要とし、且つユニットスペースも大型化する。
そこで部品点数の削減と省スペース化を図るために、結像光学系の入射光軸上に位置している最下流の反射ミラーの上流側に位置している２枚の反射ミラーを、前記結像光学系の入射光軸を挟んで若干の角度差をつけて対向配置させて、これらの反射ミラー間で複数回、光を反射させて、結像レンズに入射させる最下流の反射ミラー（３枚目の反射ミラー）へ導く構成を取るとともに、前記最下流の反射ミラーの反射面側にスリット状光束の中央部を挟小化させるように形成した曲率を有するマスク部を設けて配光規制させ、光学的シェーディング補正を行うことを発明の第２特徴とする。
かかる発明によれば、前記のように光学的シェーディング補正を行うことが出来る。
また、２枚の反射ミラーを対向配置して複数回、同ミラーで反射させる構成では、正規以外の角度で入ってきた光も、正規以外の回数で２枚の反射ミラー間を反射し、最下流の反射ミラーである３枚目の反射ミラーを通してレンズに入射する可能性があるが、かかる外乱は前記反射ミラーの光軸長軸上から外れて反射ミラーに入射するために、前記マスク部で遮光され、正規光以外の外乱が、最下流の反射ミラーに入射するのを防止することができる。
そして前記マスク部は最下流の反射ミラーに直接マスクしてもよく、又その前面に別部材として配置してもよい。
【００１６】
そして、好ましくは前記マスク部を最下流の反射ミラーのガイド部材の一部に形成するのがよい。
このように構成することにより、マスク部がガイド部材によって位置規制され、精度よく外乱を遮光でき、ＣＣＤ及び結合光学系への光束の外乱遮光と光学的シェーディング補正を精度よく行うことが出来る。
なお、前記最下流の反射ミラーのガイド部材の一部を反射面側に延在させて該反射面側にスリット状光束中央部を挟小化させてなるように曲率を形成した遮光部を設ける技術は、２枚の反射ミラーを対向配置して複数回、同ミラーで反射させる構成でなくても適用可能であり、これを第３の発明とする。
【００１７】
即ち第３の発明は、結像レンズの入射光軸上に結像レンズに光束を入射させる最下流の反射ミラーを配置するとともに、前記最下流の反射ミラーのガイド部の一部を反射面側に延在させて該反射面側にスリット状光束中央部を挟小化させるように曲率を設定した遮光部を設けたことを特徴とする。
又前記ガイド部材は該反射ミラーを長手方向に位置規制して摺動するミラー移動ガイド部材であることにより遮光精度が向上し、更に前記光学系からの光電変換部までを１のユニット体のハウジング内に収納するとともに、前記ガイド部材を該ハウジングの一部を膨出して構成することにより部品点数の削減と省スペース化につながる。
【００１８】
【発明の実施の形態】
以下、本発明を図に示した実施例を用いて詳細に説明する。但し、この実施例に記載される構成部品の寸法、形状、その相対配置などは特に特定的な記載がない限り、この発明の範囲をそれのみに限定する趣旨ではなく単なる説明例に過ぎない。
【００１９】
図１は本発明の第１発明に対応する実施例で、（Ａ）は全体概略図、（Ｂ）はレンズとレンズ支持台及び光束の関係を示す（Ａ）のＡ−Ａ線断面図、（Ｃ）は光束の流れを示す作用図で、（Ｄ）は（Ｃ）のＢ−Ｂ線図である。
図中、１は画像読取ユニット、３は不図示の原稿圧板と原稿台により支持されている原稿（画像）である。
画像読取ユニット１は、後述する光源２、複数の反射ミラー５、６、７、結像レンズ８、そして光電変換手段（イメージセンサ１０）及びその基板１１等を一体的に収納しており、モーター等の駆動装置（不図示）により副走査方向へ走査し、原稿３の画像情報を読み取ってもよく、又原稿３をローラ部材で移動可能に構成し、画像読取ユニット１を固定配置してもよい。
【００２０】
光源２は、例えば蛍光灯やハロゲンランプ等より成っている。４は入射光規制スリットであり、正規光以外の外乱排除を行う。
【００２１】
５、６、７は各々順に第１、第２、第３反射ミラーであり、第１反射ミラー５は最も原稿３面と対面してユニット底面側の垂直入射光が９０°の角度で第２の反射ミラー６側に変向する位置に、第２の反射ミラー６は第１の反射ミラー５よりの水平入射光が、約３０°の角度位置で、斜め上方に変向され、イメージセンサ１０と結像レンズ８の光軸Ｌｓを結ぶ結像レンズ入射軸線上に位置する第３の反射ミラー７の反射軸線上に位置させている。そして第３の反射ミラー７よりの結像レンズ８の入射軸側でメージセンサ１０とを結ぶ光軸（光路）Ｌｓが原稿３と略平行になるように配置している。８は結像レンズで、原稿３の画像情報に基づく光束を光電変換するイメージセンサ１０面上に結像させている。１０は読取手段としてのイメージセンサ（光センサ）で垂直基板１１上に取り付けてある。
【００２２】
９はレンズ支持部で、画像読取ユニットのハウジング側壁より水平に延在させて、結像レンズ８の外周面と対応する位置を円周曲率状に凹設して形成する。
これによりレンズと対面する最下流の反射ミラー（第３の反射ミラー７）は、結像レンズ８の入射光軸Ｌｓ上に位置しているために、該結像レンズ８の支持部９は、第３の反射ミラー７の入射光束と出射光束の間に位置することとなる。従って前記第３の反射ミラー７の入射光束の光路途中に前記レンズ支持部９の凹設部の背面側（曲率膨出部９０、図１（Ｂ）参照）の側端が位置するように配置することにより、図１（Ａ）に示すように、前記レンズ支持部９の凹設部背面側（曲率膨出部９０）をスリット状光束のスリットと直交する上面側より光軸中央側に膨出するように位置させ、同図（Ｂ）、（Ｃ）、（Ｄ）に示すように該曲率膨出部９０の背面形状をスリット状光束中央部を挟小化させる位置まで膨出させて配光規制（配光規制部１３）させ、光学的シェーディング補正を行うような形状にする。（図１（Ｂ）における網目部が遮光される。）
【００２３】
次に本実施例の作用を説明する。
本実施形態において光源２から放射された光束は原稿３の下面を照明し、該原稿３からの拡散光束が鉛直下方へ進み、第１の反射ミラー５に入射する。第１の反射ミラー５に入射した光束は９０°の角度で、画像読取ユニット１の左方水平に反射され、該画像読取ユニット１の左端側に配置された第２の反射ミラー６に入射する。第２の反射ミラー６に入射した光束は所定の角度で画像読取ユニット１の右方斜め上方へ反射され、その光束Ｌ１をレンズ支持部９の凹設部背面側の曲率膨出部９０の背面形状により図１（Ａ）に示すようにスリット状光束Ｌ１の上面側より長手辺中央部を挟小化させて配光規制され、画像読取ユニット１の右端側に配置された第３の反射ミラー７に入射する。第３の反射ミラー７に入射した原稿３の画像情報に基づく光束は原稿３面に対して水平方向に反射され、結像レンズ８によりイメージセンサ１０面上に結像させて原稿３の画像情報を読み取っている。
【００２４】
従ってかかる実施例によれば特別な配光規制板の取り付け空間を設けずに、レンズ支持部９の背面側の曲率膨出部９０によって、第３の反射ミラー７の入射光束Ｌ１の配光規制が可能となる。
又その配光規制が上流側の反射ミラーではなく、最下流の反射ミラー７の入射光の配光規制であるために、光路の光学的シェーディング補正が確実化し、光学系の受光安定化につながる。
又本実施例は、前記レンズ支持部９を、前記画像読取ユニット１のハウジングの一部を膨出して構成したために、配光規制部１３の位置決め精度の向上とともに、部品点数の削減につながる。
【００２５】
図２は本発明の第２発明に対応する実施例で、（Ａ）は全体概略図、（Ｂ）は第３の反射ミラー７の前面に規制板を設けた図、（Ｃ）は第３の反射ミラー７前面をマスクした図である。
第１実施例との相違点を中心に説明するに、本実施例は、部品点数の削減と省スペース化を図るために、結像レンズ８の入射光軸Ｌｓ上に位置している第３の反射ミラー７の上流側に位置している２枚の反射ミラー５０、６０を、前記結像レンズ８の入射光軸Ｌｓを挟んで若干の角度差をつけて対向配置させて、これらの反射ミラー５０、６０間で複数回、光を反射させて、結像レンズ８に入射させる第３の反射ミラー７へ導く構成を取るとともに、該第３の反射ミラー７の反射面側に、スリット状光束中央部を挟小化させるように曲率を持たせたマスク部（２０、２１）を設けて配光規制させ、光学的シェーディング補正を行っている。
前記マスク部（２０、２１）は図２（Ｃ）に示すように、第３の反射ミラー７の上下に位置する長辺両側にスリット状光束中央部を挟小化させてなる曲率を有するようにマスクしたマスク剤２１を直接被覆して形成してもよく、又同図（Ｂ）に示すように、第３の反射ミラー７の上下に位置する長辺両側の前面にスリット状光束中央部を挟小化させてなる曲率を有する配光規制板２０を配置してもよい。
【００２６】
かかる実施例によれば前記マスク部（２０、２１）で光学的シェーディング補正を行うことが出来るとともに、２枚の反射ミラー５０、６０を対向配置して複数回、同ミラーで反射させる構成では、図２（Ａ）において実線で示す正規の光軸の他に、波線で示す、正規以外の角度で入ってきた光も、正規以外の回数で２枚の反射ミラー５０、６０間を反射し、第３の反射ミラー７を通して結像レンズ８に入射する可能性があるが、かかる外乱は前記第３の反射ミラー７の光軸長軸上から外れて該反射ミラー７に入射するために、前記マスク部（２０、２１）で遮光され、正規光以外の外乱が、第３の反射ミラー７に入射するのを防止することができる。
【００２７】
図３は本発明の第３発明に対応する実施例で、（Ａ）は全体概略図、（Ｂ）は光束の流れを示す作用図である。
図中、１は画像読取ユニット、２は光源、３は原稿（画像）、５、６、７は各々順に第１、第２、第３の反射ミラーであり、第１実施例と同様な配置構成である。８は結像レンズ、１０は読取手段としてのイメージセンサ（光センサ）で垂直基板１１上に取り付けられている。
９ａはレンズ支持部で、ユニットハウジングの側壁から水平に延在させて結像レンズ８外周面と対応する位置を円周曲率状に凹設して形成する。
そして第３の反射ミラー７は、結像レンズ８の入射光軸Ｌｓ上に位置しているために、該結像レンズ８の支持部９ａは、第３の反射ミラー７の入射光束と出射光束Ｌ１の間に位置することとなるが、本実施例では前記第１実施例のように、第３の反射ミラー７の入射光束Ｌ１の光路途中に前記レンズ支持部９ａの凹設部の背面側の側端が位置するように配置させずに、該側端が光束を遮らないようにカットしている点が異なる。
そして第３の反射ミラー７は、前記画像読取ユニット１のハウジング側壁１ａの一部を膨出して形成されたレール状のガイド部材２５に長手方向に移動自在に位置決め支持されているとともに、前記ガイド部材２５の上下に位置する長辺両側をミラー反射面側に延在させて配光規制部２６を設ける。
配光規制部２６は、該ミラー反射面側にスリット状光束両側より中央部を挟小化させてなる曲率を有するマスク部として機能させている。
【００２８】
本実施形態においても、光源２から放射された光束は原稿３の下面を照明し、該原稿３からの拡散光束が鉛直下方へ進み、第１の反射ミラー５に入射する。第１の反射ミラー５に入射した光束は９０°の角度で、画像読取ユニット１の左方水平に反射され、該第１の反射ミラー５の左端側に配置された第２の反射ミラー６に入射する。第２の反射ミラー６に入射した光束は所定の角度で画像読取ユニット１の右方斜め上方へ反射され、該画像読取ユニット１の右端側に配置された第３の反射ミラー７に入射する。この際その反射位置で、光路Ｌ１を光束上下両側の長手辺中央部を挟小化させて配光規制された前記配光規制部２６からなるマスク部により、光学的シェーディング補正が行われた後、第３の反射ミラー７に入射した原稿３の画像情報に基づく光束は原稿３面に対して水平方向に反射され、結像レンズ８によりイメージセンサ１０面上に結像させて原稿３の画像情報を読み取っている。
【００２９】
従ってかかる実施例においても特別な配光規制部２６の取り付け空間を設けずに、第３の反射ミラー７への入射光束の配光規制が可能となる。
又その配光規制が上流側の反射ミラー５、６ではなく、最下流側の反射ミラー７の入射光の配光規制であるために、光路の光学的シェーディング補正が確実化し、光学系の受光安定化につながる。
しかも配光規制部２６がガイド部材２５によって位置規制されているために、精度よく外乱を遮光できるとともに、前記ガイド部材２５は該反射ミラー７を長手方向に位置規制して摺動するミラー移動ガイド部材であることにより、遮光精度が向上し、更に前記ガイド部材２５を前記画像読取ユニット１のハウジング側壁１ａの一部を膨出して構成することにより部品点数の削減と省スペース化につながる。
【００３０】
【発明の効果】
以上記載のごとく本発明によれば、光路に干渉しない程のスペースをとった上で、レンズ前で光量補正を行う従来技術と比べ、ユニット内部のスペースを効率良く活用出来る為、ユニットの小型化、ひいてはコストダウンにつながる。
特に第１の発明によれば、ユニットハウジングのレンズ受け部で光束の中央部を遮光することによりシューディング補正機能を持たせて光束規制と正規光以外の外乱防止を図りつつユニット内部のスペースを効率良く使うことが出来る。
又第２及び第３の発明によれば、ユニット小型化と偏平化を達成しつつ、最下流の反射ミラーの反射面にシューディング補正機能を持たせた光束規制を行い、受光量の安定化を図ることができる。
【図面の簡単な説明】
【図１】本発明の第１発明に対応する実施例で、（Ａ）は全体概略図、（Ｂ）はレンズとレンズ支持台及び光束の関係を示す（Ａ）のＡ−Ａ線断面図、（Ｃ）は光束の流れを示す作用図で、（Ｄ）は（Ｃ）のＢ−Ｂ線図である。
【図２】本発明の第２発明に対応する実施例で、（Ａ）は全体概略図、（Ｂ）は第３の反射ミラー前面に規制板を設けた図、（Ｃ）は第３の反射ミラー前面をマスクした図である。
【図３】本発明の第３発明に対応する実施例で、（Ａ）は全体概略図、（Ｂ）は光束の流れを示す作用図である。
【図４】本発明が適用される配光規制板の概念図である。
【符号の説明】
１    画像読取ユニット
２    光源
３    原稿
４    入射光規制スリット
５、５０    第１の反射ミラー
６、６０    第２の反射ミラー
７    第３の反射ミラー（最下流）
８    結像レンズ
９、９ａ    レンズ支持部
１０  イメージセンサ
１３、２６  配光規制部
２０    配光規制板（マスク部）
２１    マスク剤（マスク部）
２５    ガイド部材
９０    曲率膨出部
【図１】
2004272022.tif 000003
【図２】
2004272022.tif 000004
【図３】
2004272022.tif 000005
【図４】
2004272022.tif 000006